(57)【特許請求の範囲】
【請求項１】
建物の外壁に設けられた換気孔に屋外側から挿入される風洞を有し、前記外壁に取付けられる平盤状のベースと、
通気口を有し、端子台及び電源線の端部を収納する屋外側に開く遮水カバー付きの電気ボックスを備えると共に、モーターとファンからなる送風機を支持し、前記ベースに着脱可能なファン取付板と、
下部に排気口を有し、前記ベースに着脱可能に係合して前記ベース、送風機、電気ボックス及びファン取付板を覆う箱状の換気フードと、
を備えることを特徴とする換気扇。
【請求項２】
前記ファン取付板の上部に、前記電気ボックスの上部の端子台収納部に連通し、前記モーターのモーターリード線を通すモーターリードガイドを設けたことを特徴とする請求項１に記載の換気扇。
【請求項３】
前記電気ボックスの上部の端子台収納部に、前記複数の前記端子台の間を仕切る仕切板を設けたことを特徴とする請求項１に記載の換気扇。
【請求項４】
前記電気ボックスの上部の端子台収納部の上部に、前記換気フード側に突出するリブを設け、前記端子台収納部を前記遮水カバーで覆ったときに、前記遮水カバーの上端部を前記リブに当接させることを特徴とする請求項１に記載の換気扇。
【請求項５】
前記遮水カバーの上端部に前記換気フード側に突出するリブを設け、前記端子台収納部のリブと前記遮水カバーのリブとを当接させることを特徴とする請求項４に記載の換気扇。
【請求項６】
前記端子台収納部のリブ及び前記遮水カバーのリブを、鉤状に形成したことを特徴とする請求項５に記載の換気扇。
【請求項７】
前記電気ボックスの上部の端子台収納部に、前記遮水カバーをネジ止めするネジボスを設けたことを特徴とする請求項１に記載の換気扇。
【請求項８】
前記電気ボックスの下部に、前記遮水カバーを上下に回動自在に支持する遮水カバー支持部を設け、前記遮水カバーが前記ネジボスにネジ止めされていないときは、前記遮水カバーが自重で下方に開き、前記換気フードと干渉して前記換気フードが装着できないようになっていることを特徴とする請求項７に記載の換気扇。
【発明の詳細な説明】
【技術分野】
【０００１】
本発明は、室内外を連通するダクトやパイプ等の換気孔に屋外側から装着し、室内の空気を換気する換気扇に関する。
【背景技術】
【０００２】
従来、室内外を連通する換気孔の屋外側に設けて室内を換気する換気扇がある。この種の換気扇は、防雨、防風のために換気フードを備え、換気フードの内部にモーターとファンからなる送風機を備える構成となっており、室内側に換気機器を設け、ダクトなどを配管して設置するダクト用換気扇等に比較し、手軽に設置することができる（例えば、特許文献１、２参照）。
【先行技術文献】
【特許文献】
【０００３】
【特許文献１】特開２００６−２２０３９６号公報
【特許文献２】特開２００７−３２７６８６号公報
【発明の概要】
【発明が解決しようとする課題】
【０００４】
しかしながら、上記特許文献１に記載された従来の換気扇では、電源線を、壁内部か屋内で接続している。壁内部での電源線の接続作業は困難であり、また、屋内で接続すると、この種の換気扇の特徴であるインテリアの自由度が損なわれる、という問題がある。
【０００５】
上記特許文献２に記載された従来の換気扇では、電源線の接続を、屋外フード内部で行っているが、端子台の耐雨性が低い、という問題がある。屋外フードと壁との間で電源線を接続するようにすれば、比較的容易な施工で耐雨性を向上させることができるが、モーター交換などのメンテナンス時、屋外フードを壁から外さなければならなくなりメンテナンス性が損なわれる、という問題がある。
【０００６】
本発明は、上記に鑑みてなされたものであって、電源線の接続を屋外フード内部とし、施工性、メンテナンス性がよく、端子台の耐雨性が高く、信頼性の高い換気扇を得ることを目的とする。
【課題を解決するための手段】
【０００７】
上述した課題を解決し、目的を達成するために、建物の外壁に設けられた換気孔に屋外側から挿入される風洞を有し、前記外壁に取付けられる平盤状のベースと、通気口を有し、端子台及び電源線の端部を収容する屋外側に開く遮水カバー付きの電気ボックスを備えると共に、モーターとファンからなる送風機を支持し、前記ベースに着脱可能なファン取付板と、下部に排気口を有し、前記ベースに着脱可能に係合して前記ベース、送風機、電気ボックス及びファン取付板を覆う箱状の換気フードと、を備えることを特徴とする。
【発明の効果】
【０００８】
本発明によれば、電源線とモーターリードとを接続する端子台を、屋外フード内に設置しても、端子台は、遮水カバー付の電気ボックス内に収容されており、電気ボックスは、雨水や粉塵などの浸入を防止するので、信頼性の高い換気扇が得られる、という効果を奏する。
【図面の簡単な説明】
【０００９】
【図１】図１は、本発明に係る換気扇の実施の形態を示す側面図である。
【図２】図２は、実施の形態の換気扇の分解斜視図である。
【図３】図３は、実施の形態の換気扇の背面斜視図である。
【図４】図４は、実施の形態の換気扇への電源線の接続方法を示す斜視図である。
【図５】図５は、実施の形態の換気扇のファン取付板に電気ボックスを組付けた状態を示す斜視図である。
【図６】図６は、ファンアッセンブリをファン側から見た背面図である。
【図７】図７は、ファンアッセンブリをモーター側から見た正面図である。
【図８】図８は、ファンアッセンブリを電気ボックス側から見た側面図である。
【発明を実施するための形態】
【００１０】
以下に、本発明にかかる換気扇の実施の形態を図面に基づいて詳細に説明する。なお、この実施の形態によりこの発明が限定されるものではない。
【００１１】
実施の形態
図１は、本発明に係る換気扇１１の実施の形態を示す側面図である。住宅等の建物の外壁２０に、室内外を連通して換気させる換気孔としての換気ダクト１を設置する。換気ダクト１は、通常、各部屋の天井裏に配管されるが、図１に示すように、部屋の壁が外壁２０となっている場合は、外壁２０を貫通するように設置すればよい。
【００１２】
換気ダクト１の屋外開口端１０に、屋外側から換気扇１１を装着し、室内空気を屋外に排気する。換気扇１１は、換気ダクト１に屋外側から挿入される円筒状の風洞２を有し外壁２０に取付けられる平盤状のベース３と、モーター５とファン４からなる送風機をファン取付板８（図２参照）に組付けてなり、ベース３に着脱可能なファンアッセンブリ１２と、ベース３に着脱可能に係合し、ベース３及びファンアッセンブリ１２を覆う換気フード９と、を備えている。
【００１３】
ファンアッセンブリ１２は、３枚羽根のプロペラ式のファン４を回転させるモーター５と、モーターカバー６と、電気ボックス８ｃ（図２参照）と、をファン取付板８（図２参照）に組付けたものである。
【００１４】
図２は、実施の形態の換気扇１１の分解斜視図である。図２を参照して実施の形態の換気扇１１の構造を詳細に説明する。ベース３は、全体として矩形に形成され、４辺のうち下辺を除く上辺と両側辺の３辺を、外壁２０の反対側に直角に曲げ、側板３ｆを形成している。
【００１５】
ベース３の平板状の背板３ｃには、略中央に大径孔が設けられ、この大径孔に筒状の風洞２が取付けられている。背板３ｃには、屋外壁面１４（図１参照）にベース３を木ネジ等で取付けるための図示しない取付孔が設けられている。
【００１６】
風洞２は、一端に設けられたフランジ２ａによりベース３に固定され、他端を換気ダクト１の屋外開口端１０から挿入して換気ダクト１に接続される。ベース３は、前記取付孔により、木ネジ等で屋外壁面１４に取付けられる。
【００１７】
換気フード９は、上側板及び左右側板を有し、ベース３側及び下側に開口する方形の箱状に形成されている。図１に示すように、下側の開口（排気口９ｂ）には、排気ガラリ９ａが取付けられている。排気ガラリ９ａは、枠部（図示せず）と、この枠部に接続された数枚の下向きのブレードとにより構成されている。
【００１８】
換気フード９は、上側板の係合凹部９ｃを、ベース３の上側板に設けられた係合凸部３ｄと係合させ、下部の排気口９ｂに取付けられた排気ガラリ９ａの枠部に設けた取付孔を介して、ベース３のネジ孔３ｅにネジ９ｄにより、ベース３に取付けられる。ネジ９ｄを取外せば、換気フード９は、ベース３から容易に取外し可能である。
【００１９】
次に、図２及び図５〜図８を参照して、ファンアッセンブリ１２について説明する。図５は、ファン取付板８に電気ボックス８ｃを組付けた状態を示す斜視図であり、図６は、ファンアッセンブリ１２をファン４側から見た背面図であり、図７は、ファンアッセンブリ１２をモーター５側から見た正面図であり、図８は、ファンアッセンブリ１２を電気ボックス８ｃ側から見た側面図である。
【００２０】
ファン取付板８は、略中央に通気口８ｅを有する円盤部８ａを有している。円盤部８ａを、ベース３の背板３ｃにネジで固定する。ネジを外すことにより、ファン取付板８は、ベース３から取外し可能である。円盤部８ａには、モーター５を支持する複数のモーター支持脚８ｂが設けられている。モーター支持脚８ｂは、通気口８ｅの中央部に位置する略円錐状のモーター前カバー６ａに接続されている。モーター前カバー６ａは、モーター５の駆動軸側を覆っている。
【００２１】
モーター５は、モーター支持脚８ｂにネジで固定され、駆動軸が屋外壁面１４に垂直となっている。モーター支持脚８ｂは、３本設けられている。モーター５の外周部には、３箇所にネジ固定孔５ａが設けられ、モーター５は、３箇所のネジ固定孔５ａを介して、ネジによりモーター支持脚８ｂに固定されている。
【００２２】
電気ボックス８ｃは、ファン取付板８の右端に配置されている。電気ボックス８ｃは、ベース３の背板３ｃに当接している。電気ボックス８ｃ内は、通気口８ｅの風路から隔離されている。換気フード９を取外せば、電源線７ａの接続が行えるように、電気ボックス８ｃの前面は開口している。
【００２３】
また、電気ボックス８ｃには、上部に端子台収納部８ｎが設けられ、下部に電源線引込部８ｏが設けられている。電気ボックス８ｃのベース３側の底板には、端子台収納部８ｎ及び電源線引込部８ｏの開口部が設けられている。端子台収納部８ｎの中央部には、縦に仕切板８ｊが設けられている。電気ボックス８ｃの左右の側板と仕切板８ｊには、端子台７保持用の爪を設けており、ベース３側の開口部から直方体の端子台７を挿入し、前記爪で保持することができる。仕切板８ｊにより、２つの端子台７間を一定距離に保つことができるため、トラッキング耐力を向上させることができる。
【００２４】
端子台７の前面側には、端子台７の電源線接続部を除き、端子台７を一様に覆う壁８ｑを設けている。万が一、電気ボックス８ｃ内に雨水が浸入しても、壁８ｑにより、雨水が端子台７の充電部に浸入するのを防ぐことができる。
【００２５】
円盤部８ａの上部には、端子台収納部８ｎに連通し水平方向に延びる半円筒上のモーターリードガイド８ｍを設けている。モーターリードは、モーターリードガイド８ｍ内部を通して端子台７に接続される。モーターリードガイド８ｍは、ファン取付板８の中央付近まで延びていて、排気ガラリ９ａから浸入した雨水が、端子台収納部８ｎへ浸入するのを防いでいる。
【００２６】
端子台７は、モーターリード接続口が上部に、電源線７ａ接続口が下部に位置するように端子台収納部８ｎ内に収納され、電気ボックス８ｃの下部から引き込んだ電源線７ａの端部を、上部の端子台７へ接続し、モーター５へ電力を供給する。また、電気ボックス８ｃの端子台収納部８ｎ近傍には、ネジボス８ｋを設けている。電気ボックス８ｃ内を遮水する遮水カバー１８は、端子台収納部８ｎのネジボス８ｋに、ネジにより締付けられて固定される。ネジボス８ｋを端子台収納部８ｎ近傍に設けることにより、端子台７近傍における遮水カバー１８と電気ボックス８ｃとの遮水度を高めている。また、遮水カバー１８に、電気ボックス８ｃに対する重なり代を設けて押付けることにより、防水、防塵性を保っている。
【００２７】
遮水カバー１８の上部は、端子台収納部８ｎ上に位置し、遮水カバー１８の上端には、遮水カバー１８から換気フード９側に５ｍｍ程度突出するリブ１８ａを設けている。リブ１８ａにより、排気ガラリ９ａから浸入する雨水を、ねずみ返しのようにして防ぐ。リブ１８ａに沿うように、端子台収納部８ｎにもリブ８ｐが設けてあり、リブ８ｐは、換気フード９の上部から落下する雨水に対して庇の役割を果たす。以上の構造により、遮水カバー１８と端子台収納部８ｎとの接触部からの雨水浸入を防ぐ。また、図７に示すように、遮水カバー１８のリブ１８ａと端子台収納部８ｎのリブ８ｐとの接触部を、鉤形に形成することにより、耐雨性の向上を図っている。
【００２８】
遮水カバー支持部８ｉ（図２参照）は、電気ボックス８ｃの下部に設けられ、鍵爪形状となっている。遮水カバー１８の円柱状突起１８ｂ（図７参照）を、遮水カバー支持部８ｉの鍵爪に嵌め込むと、遮水カバー１８は、円柱状突起１８ｂと遮水カバー支持部８ｉの接点を支点として上下に回動可能となり、開閉することができる。遮水カバー１８の重心を前記支点よりも外側に位置させ、ネジを外せば重力により遮水カバー１８が下方に開くようになっている。また、遮水カバー１８は、開時には、ベース３のネジ孔３ｅ（図２参照）よりも下方に位置し、換気フード９と干渉し、換気フード９をベース３に取付けることができないようになっている。これにより、施工時の電源線７ａの接続作業の後、遮水カバー１８の締め忘れを防止することができ、安全性を高めることができる。
【００２９】
ファン取付板８の円盤部８ａの外縁部８ｇ（図２参照）は、ベース３側に４ｍｍ程度突出し、内側に深さ２ｍｍ程度の凹面が形成されている。また、風洞２のベース３側の端部には、ベース３と接合されるフランジ２ａが設けられている。フランジ２ａの外縁を、外縁部８ｇの内側に収容し、フランジ２ａの厚さを吸収している。通気口８ｅを、風洞２の内径とほぼ同じ径の円形に形成し、通気口８ｅの内縁部８ｈを、Ｒ１．５程度のベルマウス形状として、風洞２から換気フード９のフード内部１６（図１参照）へ流入する気流の圧力損失を低減させている。
【００３０】
ファン４は、３枚の羽根を有するプロペラファンであり、中央のボス部に、モーター５の駆動軸を圧入している。ファン４の回転により、室内の空気は、換気ダクト１を通って通気口８ｅから換気フード９のフード内部１６に入る。換気フード９の下部には、排気ガラリ９ａが取付けられており、空気は、換気フード９のフード内部１６から排気ガラリ９ａを通って換気フード９の外へ排気される。なお、排気ガラリ９ａの数枚のブレードは、屋外壁面１４から離れる方向に排気１７が向くように、角度を傾けている。
【００３１】
以上説明したように、モーター５、ファン４及び端子台７は、ファン取付板８に一体的に組付けられ、ファンアッセンブリ１２として組立てられている。また、ファンアッセンブリ１２は、ベース３に着脱可能に取付けられている。それ故、同径の風洞２のベース３を有する換気扇１１であれば、そのまま取付けることが可能であり、コンパクトな換気扇が得られるとともに、用途に応じ、形状の異なる換気フード９と組合わせることが可能である。また、ベース３とファンアッセンブリ１２とが、別体となっているので、ファン取付板８を樹脂製として軽量化をはかり、ベース３は金属製とすることが可能である。特に、屋外壁面１４に固定する際に、ベース３を金属性とすることにより壁面強度が確保できるとともに、ファンアッセンブリ１２のみを取外し、容易にメンテナンスや交換を行うことが可能であり、定期的なメンテナンスを容易に行えるので、長期耐久性が向上する。
【００３２】
図１に示すように、換気フード９の下部の排気口９ｂには、排気ガラリ９ａを設けているが、図２及び図５に示すように、ファン取付板８には、この排気ガラリ９ａより、ファン取付板８の通気口８ｅに臨む箇所に、フィン状のガード８ｄを複数設けている。ガード８ｄは、排気ガラリ９ａから指などが挿入されても、ファン４の羽根に触れないようにする防護用のものである。複数の各ガード８ｄは、通気口８ｅから排気ガラリ９ａに至る風路を形成するための開口８ｆを設けている。
【００３３】
また、通気口８ｅのほぼ中心には、３本のモーター支持脚８ｂに接続された略円錐状のモーター前カバー６ａを設けている。このモーター前カバー６ａはモーター５の駆動軸側の半分程度を包むような形状となっており、別部品で形成したモーター後カバー６ｂと重なり代を設けて嵌合させ、外部から浸入した雨水等がモーター５にかからないように、モーター５全体を覆うようになっている。
【００３４】
防護用のガード８ｄをファン取付板８の通気口８ｅに臨む円盤部８ａに設けることにより、排気ガラリ９ａやファンアッセンブリ１２に金網などを設置するよりも、圧力損失を小さくすることができる。また、換気フード９の排気ガラリ９ａから指や棒などを挿入しても、ファン４に触れることはなく、ファン４の損傷を防止するとともに、子供などの手が届く低位置に換気扇１１を設置した場合でも、安全性が高い。また、コウモリなどの小動物の侵入も防止することができる。
【００３５】
また、端子台収納部８ｎがベース３に当接する部分には、ベース３側に平面状のパッキン１９（図２参照）を貼付してある。端子台収納部８ｎは、端子台７を囲うようにリブ８ｐ（図６参照）が設けてあり、このリブ８ｐがパッキン１９を一定量潰すので、端子台７は、通気口８ｅの風路から隔離され、止水性、防塵性が高い。パッキン１９により、絶縁性が確保され、所定の絶縁距離を確保することにより、二重絶縁構造とすることができ、信頼性が高く、モーター５の外郭の錆びなど耐久性が改善されるとともに、モーター５の外郭からのアース線が不要であり、組立性や施工性が改善されている。
【００３６】
図３は、実施の形態の換気扇１１の背面斜視図であり、図４は、実施の形態の換気扇１１への電源線７ａの接続方法を示す斜視図である。図３に示すように、ベース３の背板３ｃの外縁部には、背板３ｃから７ｍｍ〜９ｍｍ程度突出して屋外壁面１４に当接するスカート部３ａを設けている。また、背板３ｃには、電源線７ａを電気ボックス８ｃ内に引込む貫通穴３ｂを設けている。図４に示すように、電源線７ａの端部は、屋外壁面１４の壁穴２１から引出され、貫通穴３ｂを通して電気ボックス８ｃ内に引込まれ、端子台７へ接続される。
【００３７】
図１に示すように、背板３ｃの外縁部と、スカート部３ａと、屋外壁面１４とで囲まれたコの字状の溝部１５にコーキング材を充填し、ベース３と屋外壁面１４の間の止水を行なう。ベース３の屋外壁面１４側に、７ｍｍ〜９ｍｍの高さの連続する溝部１５が形成されているので、溝部１５がコーキング材を塗布するノズル先端（径５ｍｍ〜６ｍｍ）のガイドとなり、コーキングがし易く、確実なコーキングを行なうことができる。
【００３８】
また、換気フード９は、ベース３から取外すことができ、コーキング材により壁面に固着されることはなく、ベース３に着脱自在であり、換気フード９を取外すときにコーキング材を切断する必要がなく、屋外側から容易に換気フード９のフード内部１６の清掃やファンアッセンブリ１２のメンテナンスを行うことができる。
【産業上の利用可能性】
【００３９】
以上のように、本発明にかかる換気扇は、室内外を連通するダクトやパイプ等に屋外側から装着する換気扇として有用である。
【符号の説明】
【００４０】
１  換気ダクト（換気孔）
２  風洞
２ａ  フランジ
３  ベース
３ａ  スカート部
３ｂ  貫通孔
３ｃ  背板
３ｄ  係合凸部
３ｅ  ネジ孔
３ｆ  側板
４  ファン（プロペラ羽根）
５  モーター
６  モーターカバー
６ａ  モーター前カバー
６ｂ  モーター後カバー
７  端子台
７ａ  電源線
８  ファン取付板
８ａ  円盤部
８ｃ  電気ボックス
８ｂ  モーター支持脚
８ｄ  ガード
８ｅ  通気口
８ｆ  開口
８ｇ  外縁部
８ｈ  内縁部
８ｉ  遮水カバー支持部
８ｊ  仕切板
８ｋ  ネジボス
８ｍ  モーターリードガイド
８ｎ  端子台収納部
８ｏ  電源線引込部
８ｐ  リブ
８ｑ  壁
９  換気フード
９ａ  排気ガラリ
９ｂ  排気口（開口）
９ｃ  係合凹部
９ｄ  ネジ
１０  屋外開口端
１１  換気扇
１２  ファンアッセンブリ
１４  屋外壁面
１５  溝部
１６  フード内部
１７  排気
１８  遮水カバー
１８ａ  リブ
１８ｂ  円柱状突起
１９  パッキン
２０  外壁
２１  壁穴
【図１】
0005683913.tif 000002
【図２】
0005683913.tif 000003
【図３】
0005683913.tif 000004
【図４】
0005683913.tif 000005
【図５】
0005683913.tif 000006
【図６】
0005683913.tif 000007
【図７】
0005683913.tif 000008
【図８】
0005683913.tif 000009